(57)【特許請求の範囲】
【請求項１】
入退室を管理する区画ごとに、当該区画に設けられているドアを示すドアＩＤと、当該区画への入室許可順位を示す区画レベルとの組からなる区画情報を記憶する区画情報記憶部と、
これら区画を利用する利用者ごとに、当該利用者を示す利用者識別情報と、当該利用者の入室許可順位を示す利用者レベルとの組からなる利用者情報を記憶する利用者情報記憶部と、
区画情報変更操作に応じて、前記区画情報記憶部で記憶している前記区画情報の当該区画レベルを変更して保存し、利用者情報変更操作に応じて、前記利用者情報記憶部で記憶している利用者情報の当該利用者レベルを変更して保存する情報管理部と、
前記ドアごとに設けられて、利用者の入力操作に応じて、入力された当該利用者の利用者識別情報と当該ドアのドアＩＤとを送信するリーダ端末と、
前記リーダ端末から送信された前記利用者識別情報と前記ドアＩＤとを受信し、当該利用者識別情報に対応する前記利用者情報から取得した利用者レベルと、当該ドアＩＤに対応する前記区画情報から取得した区画レベルとの大小を比較することにより、当該利用者による当該ドアの通行可否を判定し、当該判定結果に基づいて当該ドアに設けられている電気錠の開閉を指示する入退室判定部と
を備えることを特徴とする入退室管理システム。
【請求項２】
区画情報記憶部が、入退室を管理する区画ごとに、当該区画に設けられているドアを示すドアＩＤと、当該区画への入室許可順位を示す区画レベルとの組からなる区画情報を記憶する区画情報記憶ステップと、
利用者情報記憶部が、これら区画を利用する利用者ごとに、当該利用者を示す利用者識別情報と、当該利用者の入室許可順位を示す利用者レベルとの組からなる利用者情報を記憶する利用者情報記憶ステップと、
情報管理部が、区画情報変更操作に応じて、前記区画情報記憶部で記憶している前記区画情報の当該区画レベルを変更して保存し、利用者情報変更操作に応じて、前記利用者情報記憶部で記憶している利用者情報の当該利用者レベルを変更して保存する情報管理ステップと、
リーダ端末が、前記ドアごとに設けられて、利用者の入力操作に応じて、入力された当該利用者の利用者識別情報と当該ドアのドアＩＤとを送信する送信ステップと、
入退室判定部が、前記リーダ端末から送信された前記利用者識別情報と前記ドアＩＤとを受信し、当該利用者識別情報に対応する前記利用者情報から取得した利用者レベルと、当該ドアＩＤに対応する前記区画情報から取得した区画レベルとの大小を比較することにより、当該利用者による当該ドアの通行可否を判定し、当該判定結果に基づいて当該ドアに設けられている電気錠の開閉を指示する入退室判定ステップと
を備えることを特徴とする入退室管理方法。
【発明の詳細な説明】
【技術分野】
【０００１】
本発明は、入退室管理技術に関し、特に各区画の入退室管理状況を変更する技術に関する。
【背景技術】
【０００２】
建物内に設けた各区画について、これら区画を利用する利用者の入退室を管理する入退室管理システムでは、個々の利用者に固有のＩＤと当該利用者が通行可能な区画のドアを示すドアＩＤとを組として含む利用者情報が、通行可否判定を行う制御装置に予め登録されている。
【０００３】
そして、任意のドアの通行を希望する利用者が、自己の利用者識別情報を、当該ドアと対応して設置されているリーダ端末で入力した場合、当該リーダ端末は、当該利用者識別情報と当該ドアのドアＩＤとを制御装置へ通知する。これに応じて、制御装置は、当該利用者識別情報と対応する利用者情報に、当該ドアＩＤが登録されているか否かを確認することにより、当該利用者に対する当該ドアの通行可否を判定するものとなっている（例えば、特許文献１など参照）。
【先行技術文献】
【特許文献】
【０００４】
【特許文献１】特開２００４−１６９３７８号公報
【発明の概要】
【発明が解決しようとする課題】
【０００５】
しかしながら、このような従来技術では、利用者ごとに、通行可能な区画のドアを登録しているため、建物内のレイアウト変更に伴い区画やドアの追加・削除が発生した場合、個々の利用者情報を書き換える必要があり、大きな作業負担が発生するという問題点があった。特に、一時的に特定の区画への入室を許可する必要がある場合、あるいは侵入警報発令時やテロ対策などの緊急時に、特定の区画への入室を禁止する必要がある場合、容易に対応することができないという問題点があった。
【０００６】
本発明はこのような課題を解決するためのものであり、区画やドアの追加・削除が発生した場合、あるいは一時的に入退室管理状況の変更が必要になった場合でも、容易に対応できる入退室管理技術を提供することを目的としている。
【課題を解決するための手段】
【０００７】
このような目的を達成するために、本発明にかかる入退室管理システムは、入退室を管理する区画ごとに、当該区画に設けられているドアを示すドアＩＤと、当該区画への入室許可順位を示す区画レベルとの組からなる区画情報を記憶する区画情報記憶部と、これら区画を利用する利用者ごとに、当該利用者を示す利用者識別情報と、当該利用者の入室許可順位を示す利用者レベルとの組からなる利用者情報を記憶する利用者情報記憶部と、区画情報変更操作に応じて、区画情報記憶部で記憶している区画情報の当該区画レベルを変更して保存し、利用者情報変更操作に応じて、利用者情報記憶部で記憶している利用者情報の当該利用者レベルを変更して保存する情報管理部と、ドアごとに設けられて、利用者の入力操作に応じて、入力された当該利用者の利用者識別情報と当該ドアのドアＩＤとを送信するリーダ端末と、リーダ端末から送信された利用者識別情報とドアＩＤとを受信し、当該利用者識別情報に対応する利用者情報から取得した利用者レベルと、当該ドアＩＤに対応する区画情報から取得した区画レベルとの大小を比較することにより、当該利用者による当該ドアの通行可否を判定し、当該判定結果に基づいて当該ドアに設けられている電気錠の開閉を指示する入退室判定部とを備えている。
【０００８】
また、本発明にかかる入退室管理方法は、区画情報記憶部が、入退室を管理する区画ごとに、当該区画に設けられているドアを示すドアＩＤと、当該区画への入室許可順位を示す区画レベルとの組からなる区画情報を記憶する区画情報記憶ステップと、利用者情報記憶部が、これら区画を利用する利用者ごとに、当該利用者を示す利用者識別情報と、当該利用者の入室許可順位を示す利用者レベルとの組からなる利用者情報を記憶する利用者情報記憶ステップと、情報管理部が、区画情報変更操作に応じて、区画情報記憶部で記憶している区画情報の当該区画レベルを変更して保存し、利用者情報変更操作に応じて、利用者情報記憶部で記憶している利用者情報の当該利用者レベルを変更して保存する情報管理ステップと、リーダ端末が、ドアごとに設けられて、利用者の入力操作に応じて、入力された当該利用者の利用者識別情報と当該ドアのドアＩＤとを送信する送信ステップと、入退室判定部が、リーダ端末から送信された利用者識別情報とドアＩＤとを受信し、当該利用者識別情報に対応する利用者情報から取得した利用者レベルと、当該ドアＩＤに対応する区画情報から取得した区画レベルとの大小を比較することにより、当該利用者による当該ドアの通行可否を判定し、当該判定結果に基づいて当該ドアに設けられている電気錠の開閉を指示する入退室判定ステップとを備えている。
【発明の効果】
【０００９】
本発明によれば、区画やドアの追加・削除が発生した場合、侵入警報発令時やテロ対策などの緊急時、あるいは一時的に入退室管理状況の変更が必要になった場合でも、変更対象となる区画の区画情報に含まれている区画レベルを変更するだけで、新たな入退室管理状況を提供することができる。したがって、従来のように個々の利用者情報を書き換える必要がなくなり、大きな作業負担を必要とすることなく、入退室管理状況を容易に変更することが可能となる。
【図面の簡単な説明】
【００１０】
【図１】本実施の形態にかかる入退室管理システムの構成を示すブロック図である。
【図２】制御装置の構成例を示すブロック図である。
【図３】区画情報の構成例である。
【図４】利用者情報の構成例である。
【図５】管理装置の構成例を示すブロック図である。
【図６】入退室管理システムの通行可否判定動作を示すシーケンス図である。
【図７】管理装置での区画情報および利用者情報の設定処理を示すフローチャートである。
【図８】区画情報の設定例である。
【図９】区画情報の他の設定例である。
【図１０】区画情報の他の設定例である。
【発明を実施するための形態】
【００１１】
次に、本発明の一実施の形態について図面を参照して説明する。
［実施の形態の構成］
まず、図１を参照して、本実施の形態にかかる入退室管理システムについて説明する。図１は、本実施の形態にかかる入退室管理システムの構成を示すブロック図である。
【００１２】
この入退室管理システム１には、ＩＤカード１０、リーダ端末２２、電気錠２３、制御装置３０、および管理装置４０が含まれている。各区画２０のドア２１に対して設置されているリーダ端末２２および電気錠２３は、通信回線Ｌ１を介してそれぞれデータ通信可能に制御装置３０と接続されている。また、管理装置４０には、通信回線Ｌ２を介して制御装置３０がデータ通信可能に接続されている。この際、入退室管理システムの規模に応じて、制御装置３０を複数設けてもよい。
【００１３】
ＩＤカード１０は、メモリカードやＩＣカードなどの携帯可能な情報処理用のカードからなり、当該ＩＤカードを所持する利用者の通行可否を判定するために必要な情報として、利用者に固有の利用者ＩＤなどの利用者識別情報を記録する機能を有している。
【００１４】
リーダ端末２２は、区画２０のドア２１ごとに併設された、カードリーダなどのカード処理装置からなり、カードスロットへＩＤカードを挿入し（接触型）、あるいはカードアンテナへＩＤカードをかざすことにより（非接触型）、利用者が提示したＩＤカード１０から利用者ＩＤなどの利用者識別情報を読み出す機能と、当該利用者識別情報と予め自己に設定されている当該ドア２１に固有のドアＩＤとを含む判定要求を、通信回線Ｌ１を介して制御装置３０へ送信する機能とを有している。
【００１５】
電気錠２３は、区画２０のドア２１ごとに設けられた電動式の錠前からなり、通信回線Ｌ１を介して受信した制御装置３０からの開錠／施錠の指示に応じて、ドア２１の開錠／施錠を行う機能を有している。なお、電気錠２３は、常時、施錠されており、制御装置３０から開錠指示が到来した場合にのみ所定期間だけ開錠するものとする。
【００１６】
制御装置３０は、設備の管理・監視を行う各種制御システムで用いられるコントローラなどの制御装置からなり、リーダ端末２２からの判定要求に応じて、利用者に対するドア通信可否の判定を行う機能を有している。
図２は、制御装置の構成例を示すブロック図である。この制御装置３０には、主な機能部として、通信インターフェース部（以下、通信Ｉ／Ｆ部という）３１、端末インターフェース部（以下、端末Ｉ／Ｆ部という）３２、記憶部３４、判定情報記憶部３４Ａ、および入退室判定部３５が設けられており、これら機能部は、内部バスを介して相互にデータやり取り可能に接続されている。
【００１７】
通信Ｉ／Ｆ部３１は、通信回線Ｌ２を介して管理装置４０などの外部装置とデータ通信を行う機能を有している。
端末Ｉ／Ｆ部３２は、通信回線Ｌ１を介してリーダ端末２２や電気錠２３などの外部端末とデータ通信を行う機能を有している。
記憶部３４は、メモリやハードディスクなどの記憶装置からなり、制御装置３０での処理動作に用いる各種情報やプログラムを記憶する機能を有している。
【００１８】
判定情報記憶部３４Ａは、メモリやハードディスクなどの記憶装置からなり、管理装置４０からダウンロードした区画情報および利用者情報を記憶する記憶部である。
図３は、区画情報の構成例である。この例では、各区画に固有の区画名ごとに、当該区画に設けられているドアを示すドアＩＤと、当該区画への入室許可順位を示す区画レベルとの組が、それぞれ登録されている。
図４は、利用者情報の構成例である。この例では、各利用者に固有の利用者識別情報ごとに、当該利用者の氏名およびメールアドレスなどの個人情報と、当該利用者の入室許可順位を示す利用者レベルとの組が、それぞれ登録されている。
【００１９】
入退室判定部３５は、ＣＰＵとプログラムとが協働してなる演算処理部により構成されており、端末Ｉ／Ｆ部３２を介して受信したリーダ端末２２からの判定要求に応じて、当該判定要求に含まれている利用者識別情報に対応する判定情報記憶部３４Ａの利用者情報から、当該利用者の利用者レベルを取得する機能と、当該判定要求に含まれているドアＩＤに対応する判定情報記憶部３４Ａの区画情報から、当該区画の区画レベルを取得する機能と、これら利用者レベルと区画レベルの入室許可順位を比較することにより、当該利用者による当該ドアの通行可否を判定する機能と、その判定結果を端末Ｉ／Ｆ部３２から要求元のリーダ端末２２へ返送する機能と、通行可を示す判定結果に応じて当該リーダ端末２２と対応するドア２１の電気錠２３に対する開錠指示を端末Ｉ／Ｆ部３２から送信する機能とを有している。
【００２０】
管理装置４０は、全体としてサーバ装置やパソコンなどの情報処理装置からなり、制御装置３０での入退室判定処理に用いる区画情報と利用者情報とを管理する機能を有している。
図５は、管理装置の構成例を示すブロック図である。
管理装置４０には、主な機能部として、通信Ｉ／Ｆ部４１、操作入力部４２、画面表示部４３、記憶部４４、区画情報記憶部４４Ａ、利用者情報記憶部４４Ｂ、および情報管理部４５が設けられており、これら機能部は、内部バスを介して相互にデータやり取り可能に接続されている。
【００２１】
通信Ｉ／Ｆ部４１は、通信回線Ｌ２を介して制御装置３０などの外部装置とデータ通信を行う機能を有している。
操作入力部４２は、キーボードやマウスなどの操作入力装置からなり、オペレータ操作を検出して、情報管理部４５などの各種機能部へ出力する機能を有している。
画面表示部４３は、ＬＣＤやＰＤＰなどの画面表示装置からなり、情報管理部４５などの各種機能部から出力された各種情報を画面表示する機能を有している。
記憶部４４は、メモリやハードディスクなどの記憶装置からなり、管理装置４０での処理動作に用いる各種情報やプログラムを記憶する機能を有している。
【００２２】
区画情報記憶部４４Ａは、メモリやハードディスクなどの記憶装置からなり、入退室を管理する区画ごとに、当該区画に設けられているドアを示すドアＩＤと、当該区画への入室許可順位を示す区画レベルとの組からなる区画情報を記憶する記憶部である。
利用者情報記憶部４４Ｂは、メモリやハードディスクなどの記憶装置からなり、これら区画を利用する利用者ごとに、当該利用者を示す利用者ＩＤなどの利用者識別情報と、当該利用者の入室許可順位を示す利用者レベルとの組からなる利用者情報を記憶する記憶部である。
【００２３】
情報管理部４５は、ＣＰＵとプログラムとが協働してなる演算処理部により構成されており、オペレータによる操作入力部４２での区画情報変更操作に応じて、区画情報記憶部４４Ａで記憶している区画情報の当該区画レベルを変更して保存する機能と、オペレータによる操作入力部４２での利用者情報変更操作に応じて、利用者情報記憶部４４Ｂで記憶している利用者情報の当該利用者レベルを変更して保存する機能とを有している。
【００２４】
［本実施の形態の動作］
次に、本実施の形態にかかる入退室管理システムの動作について説明する。以下では、入退室管理システム１の通行可否判定動作と、管理装置４０での区画情報および利用者情報の設定動作とを別個に説明する。
【００２５】
まず、図６を参照して、入退室管理システム１の通行可否判定動作について説明する。図６は、入退室管理システムの通行可否判定動作を示すシーケンス図である。
【００２６】
管理装置４０は、通行可否判定動作を開始する前に、オペレータによる操作入力部４２での情報送信操作に応じて、区画情報記憶部４４Ａから区画情報を読み出し、通信Ｉ／Ｆ部４１を介して制御装置３０へ送信するとともに（ステップ１００）、利用者情報記憶部４４Ｂから利用者情報を読み出し、通信Ｉ／Ｆ部４１を介して制御装置３０へ送信する（ステップ１０１）。
制御装置３０の入退室判定部３５は、通信Ｉ／Ｆ部３１を介して受信した管理装置４０からの区画情報および利用者情報を判定情報記憶部３４Ａへ保存する。
【００２７】
この後、任意のドア２１の通行を希望する利用者が、当該ドアと対応して設置されているリーダ端末２２で自己のＩＤカードを操作した場合、リーダ端末２２は、利用者が提示したＩＤカード１０から利用者識別情報を読み出し（ステップ１１０）、この利用者識別情報と当該リーダ端末２２に予め設定されている当該ドアのドアＩＤとを含む判定要求を、通信回線Ｌ１を介して制御装置３０へ送信する（ステップ１１１）。
【００２８】
制御装置３０の入退室判定部３５は、端末Ｉ／Ｆ部３２によりリーダ端末２２からの判定要求を受信して、この判定要求に含まれている利用者識別情報と対応する、判定情報記憶部３４Ａの利用者情報から、当該利用者の利用者レベルを取得し（ステップ１１２）、この判定要求に含まれているドアＩＤと対応する、判定情報記憶部３４Ａの区画情報から、当該区画の区画レベルを取得する（ステップ１１３）。
【００２９】
次に、入退室判定部３５は、これら利用者レベルの入室許可順位と区画レベルの入室許可順位とを比較することにより、当該利用者による当該ドアの通行可否を判定する（ステップ１１４）。
ここで、利用者レベルの入室許可順位が区画レベルの入室許可順位より小さい場合（ステップ１１５：ＮＯ）、入退室判定部３５は、通行不可を示す判定結果を端末Ｉ／Ｆ部３２からリーダ端末２２へ通知する（ステップ１１６）。この際、電気錠２３では施錠状態を維持させればよいことから、電気錠２３に対して特別な指示は行われない。
リーダ端末２２は、制御装置３０からの通行不可の通知に応じて、入退室不可である旨を利用者へ表示する（ステップ１１７）。
【００３０】
一方、ステップ１１５において、利用者レベルの入室許可順位が区画レベルの入室許可順位以上である場合（ステップ１１５：ＹＥＳ）、入退室判定部３５は、通行可能を示す判定結果を端末Ｉ／Ｆ部３２からリーダ端末２２へ通知するとともに（ステップ１１８）、電気錠２３に対して開錠を指示する（ステップ１１９）。
リーダ端末２２は、制御装置３０からの通行許可の通知に応じて、入退室許可である旨を利用者へ表示する（ステップ１２０）。また、電気錠２３は、制御装置３０からの開錠指示に応じて、ドア２１を一時的に開錠する（ステップ１２１）。これにより、利用者はドア２１を通行して、希望する区画へ入室することが可能となる。
【００３１】
次に、図７を参照して、管理装置４０での区画情報および利用者情報の設定動作について説明する。図７は、管理装置での区画情報および利用者情報の設定処理を示すフローチャートである。
【００３２】
管理装置４０の情報管理部４５は、オペレータによる操作入力部４２での初期設定操作に応じて（ステップ１５０：ＹＥＳ）、操作入力部４２や通信Ｉ／Ｆ部４１を介して外部装置から入力された区画情報を取得して、区画ごとに区画レベルを設定し、区画情報記憶部４４Ａへ保存するとともに（ステップ１５１）、操作入力部４２や通信Ｉ／Ｆ部４１を介して外部装置から入力された利用者情報を取得して、利用者ごとに利用者レベルを設定し、利用者情報記憶部４４Ｂへ保存する（ステップ１５２）。
この後、情報管理部４５は、これら区画情報と利用者情報を、通信Ｉ／Ｆ部４１を介して制御装置３０へ送信する（ステップ１５３）。
【００３３】
一方、情報管理部４５は、オペレータによる操作入力部４２での設定変更操作に応じて（ステップ１６０：ＹＥＳ）、区画情報記憶部４４Ａから区画情報を読み出して、当該区画情報の区画レベルを操作入力部４２から入力された区画レベルへ変更した後、区画情報記憶部４４Ａへ保存し（ステップ１６１）、この区画情報を、通信Ｉ／Ｆ部４１を介して制御装置３０へ送信する（ステップ１６２）。
【００３４】
図８は、区画情報の設定例である。ここでは、図３の区画情報の設定例に基づいて、共用部と応接室に区画レベル「１」が設定されており、会議室と執務室に区画レベル「２」が設定されており、実験室に区画レベル「３」が設定されている。したがって、このような入退室管理状況では、利用者レベル「１」の部外者は、共用部のドアＤ１および応接室のドアＤ２を通行することができる。また、会議室のドアＤ３や、執務室Ａ，ＢのドアＤ４，Ｄ５については、利用者レベルが「２」以上の社員が通行でき、実験室のドアＤ６は、利用者レベルが「３」以上の研究者のみが通行できる。
【００３５】
図９は、区画情報の他の設定例である。図８の入退室管理状況において、緊急時や夜間・休日などの防犯時、さらには侵入警報発令時に、共用部と応接室への入室を禁止する場合、管理装置４０の情報管理部４５において、共用部と応接室の区画レベルを「２」に変更する。これにより、利用者レベル「１」の部外者は、共用部のドアＤ１さらには応接室のドアＤ２を通行することができなくなり、極めて簡素な作業で、セキュリティ性を高めることができる。
【００３６】
図１０は、区画情報の他の設定例である。図８の入退室管理状況において、会議室を開放して展示会を行うため、会議室に対する部外者の入室を許可する場合、管理装置４０の情報管理部４５において、会議室の区画レベルを「１」に変更する。これにより、利用者レベル「１」の部外者は、会議室のドアＤ３を通行することができるようになり、極めて簡素な作業で、入退室管理状況を変更できる。
【００３７】
［本実施の形態の効果］
このように、本実施の形態は、入退室を管理する区画ごとに、当該区画に設けられているドアを示すドアＩＤと、当該区画への入室許可順位を示す区画レベルとの組からなる区画情報を記憶する区画情報記憶部４４Ａと、これら区画を利用する利用者ごとに、当該利用者を示す利用者識別情報と、当該利用者の入室許可順位を示す利用者レベルとの組からなる利用者情報を記憶する利用者情報記憶部４４Ｂと、区画情報変更操作に応じて、区画情報記憶部４４Ａで記憶している区画情報の当該区画レベルを変更して保存する情報管理部４５とを設けている。
【００３８】
そして、任意のドアの通行可否を判断する際、入退室判定部３５において、リーダ端末２２から送信された利用者識別情報とドアＩＤとを受信し、当該利用者識別情報に対応する利用者情報から取得した利用者レベルの入室許可順位と、当該ドアＩＤに対応する区画情報から取得した区画レベルの入室許可順位とを比較することにより、当該利用者による当該ドアの通行可否を判定し、当該判定結果に基づいて当該ドアに設けられている電気錠の開閉を指示するようにしたものである。
【００３９】
これにより、区画やドアの追加・削除が発生した場合、侵入警報発令時やテロ対策などの緊急時、あるいは一時的に入退室管理状況の変更が必要になった場合でも、情報管理部４５により、変更対象となる区画の区画情報に含まれている区画レベルを変更するだけで、新たな入退室管理状況を提供することができる。したがって、従来のように個々の利用者情報を書き換える必要がなくなり、大きな作業負担を必要とすることなく、入退室管理状況を容易に変更することが可能となる。
【００４０】
また、本実施の形態では、利用者情報変更操作に応じて、情報管理部４５で、利用者情報記憶部４４Ｂで記憶している利用者情報の当該利用者レベルを変更して保存するようにしたので、特定の利用者に関する入室許可順位を容易に変更することができる。これにより、侵入警報発令時やテロ対策などの緊急時、あるいは一時的に入退室管理状況の変更が必要になった場合でも、情報管理部４５により、変更対象となる利用者の利用者情報に含まれている利用者レベルを変更するだけで、特定の利用者に関する入退室管理状況を容易に変更することができる。
【００４１】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【００４２】
なお、本実施の形態では、区画情報と利用者情報を管理装置４０で記憶しておき、これら区画情報と利用者情報を制御装置３０へダウンロードして制御装置３０で入退室を判定する場合について説明したが、これに限定されるものではなく、制御装置３０の入退室判定部３５の機能を管理装置４０に設け、入退室の判定については、管理装置４０で実行してもよい。
【００４３】
また、本実施の形態では、ＩＤカード１０を用いてリーダ端末２２を操作することにより利用者識別情報を入力する場合を例として説明したが、リーダ端末２２での利用者識別情報の入力方法については、これに限定されるものではない。例えば、リーダ端末２２に設けられたキーボードから利用者の利用者識別情報を操作入力してもよく、リーダ端末２２のカメラやセンサで、利用者の指紋などの生体情報を利用者識別情報として入力してもよい。
また、利用者レベルをＩＤカード１０に記録しておき、リーダ端末２２でＩＤカード１０から読み出した利用者レベルに基づき、入退室判定部３５で通行可否を判定してもよい。
【００４４】
また、本実施の形態では、管理装置４０の情報管理部４５において、オペレータ操作に応じて区画情報を変更する場合を例として説明したが、日時に応じて自動的に変更するようにしてもよい。例えば、区画情報記憶部４４Ａに、図８に示すような就業時用の区画情報と、図９に示すようなセキュリティ性が高い休業時用の区画情報を記憶しておき、ＣＰＵのタイマ機能を利用して、情報管理部４５により就業日時を管理し、就業期間の開始時に就業時用の区画情報を制御装置３０へ送信して設定し、休業期間の開始時に休業時用の区画情報を制御装置３０へ送信して設定すればよい。これにより、就業状態に適切なセキュリティ性を持つ入退室管理状況を自動的に提供することが可能となる。
【符号の説明】
【００４５】
１…入退室管理システム、１０…ＩＤカード、２０…区画、２１…ドア、２２…リーダ端末、２３…電気錠、３０…制御装置、３１…通信Ｉ／Ｆ部、３２…端末Ｉ／Ｆ部、３４…記憶部、３４Ａ…判定情報記憶部、３５…入退室判定部、４０…管理装置、４１…通信Ｉ／Ｆ部、４２…操作入力部、４３…画面表示部、４４…記憶部、４４Ａ…区画情報記憶部、４４Ｂ…利用者情報記憶部、４５…情報管理部、Ｌ１，Ｌ２…通信回線。
【図１】
0005443924.tif 000002
【図２】
0005443924.tif 000003
【図３】
0005443924.tif 000004
【図４】
0005443924.tif 000005
【図５】
0005443924.tif 000006
【図６】
0005443924.tif 000007
【図７】
0005443924.tif 000008
【図８】
0005443924.tif 000009
【図９】
0005443924.tif 000010
【図１０】
0005443924.tif 000011